(57)【要約】  差込み接続体（１０）により、部材（３０）が基板（５０）の穴（５３）に取付けられるようにする。そのため差込み接続体（１０）が扁平輪郭（３３）を持つ胴（１５）を持っている。差込みの場合この胴の胴端部（２０）が板裏側（５２）で穴（５３）から突出する。穴幅（５４）に比べて広くされた胴区間（１３）が胴端部（２０）に続き、かつ切欠き（１４）を持っている。切欠き（１４）が胴区間（１３）を２つの脚辺（１１，１２）に区分し、これらの脚辺（１１，１２）が互いに弾性的に撓み、差込みの場合胴（１５）を板（５０）の穴（５３）内に保持する。保持作用を改善するため、両方の脚辺（１１，１２）を互いに異なるように形成することが提案され、一方の脚辺（１１）が他方の脚辺（１２）より大きい縦延び具合（２１）を持っている。それにより広い胴区間（１３）が長い脚辺（１１）と短い脚辺（１２）に区分される。両方の脚辺（１１，１２）は、胴端部（２０）でアンダカットされた頭部（４０）に終わっている。差込みの場合頭部（４０）が板（５０）の穴縁に係合する。
2009541972.tif 000002
【特許請求の範囲】
【請求項１】
基板（５０）の穴（５３）に取付け可能な部材（３０）にある差込み接続体（１０）であって、
扁平輪郭（３３）を持つ胴（１５）を持ち、差込みの場合この胴の胴端部（２０）が板裏側（５２）で穴（５３）から突出し、
穴幅（５４）に比べて広くされた胴区間（１３）が胴端部（２０）に続き、かつ扁平輪郭（３３）に切欠き（１４）を持ち、
切欠き（１４）が胴区間（１３）を２つの脚辺（１１，１２）に区分し、これらの脚辺（１１，１２）が扁平輪郭（３３）の面内で互いに弾性的に撓み、差込みの場合胴（１５）を板（５０）の穴（５３）内で胴（１５）を固定的に締付けるものにおいて、
両方の脚辺（１１，１２）が互いに異なるように形成され、一方の脚辺（１１）が他方の脚辺（１２）より大きい縦延び具合（２１）を持ち、従ってこの胴区間（１３）が長い脚辺（１１）と短い脚辺（１２）から成り、
胴端部（２０）がアンダカットされる頭部（４０）を持ち、差込みの場合この頭部（４０）が穴（５３）を区画する板（５０）の縁（５７）に係合する
ことを特徴とする、差込み接続体。
【請求項２】
長い脚辺（１１）が湾曲しており、短い脚辺（１２）が実質的に伸ばされて延びていることを特徴とする、請求項１に記載の差込み接続体。
【請求項３】
長い脚辺（１１）がＳ字状の経過をとっていることを特徴とする、請求項１又は２に記載の差込み接続体。
【請求項４】
両方の脚辺（１１，１２）の間の切欠き（１４）が非対称に形成され、長い脚辺（１１）の湾曲に従っていることを特徴とする、請求項１〜３の１つに記載の差込み接続体。
【請求項５】
不動作の場合即ち差込み接続体（１０）が分解されている場合、切欠き（１４）がその中間区域（４５）に狭隘部（４７）を持ち、切欠き（１４）が狭隘部（４７）から始まって両端へ即ち頭部（４０）及び部材（３０）の方へ広がる端部区域（４４，４６）を持っていることを特徴とする、請求項１〜４の１つに記載の差込み接続体。
【請求項６】
切欠き（１４）の上の端部区域（４４）が、両方の脚辺（１１，１２）の根元（２６，２７）を越えて部材（３０）の方へ延びていることを特徴とする、請求項５に記載の差込み接続体。
【請求項７】
切欠き狭隘部（４７）のすぐ下にある切欠き（１４）の端部区域（４６）が、長い脚辺（１１）の湾曲推移に従っていることを特徴とする、請求項４〜６の１つに記載の差込み接続体。
【請求項８】
短い脚辺（１２）が広い脚辺部分（２８）を持ち、この脚辺部分（２８）が脚辺幅（４８）を大きく形成されて、短い脚辺（１２）を補強していることを特徴とする、請求項１〜７の１つに記載の差込み接続体。
【請求項９】
広い脚辺部分（２８）と胴端部（２０）のある頭部（４０）との間に、脚辺幅（５８）の狭い脚辺部分（５５）が設けられていることを特徴とする、請求項８に記載の差込み接続体。
【請求項１０】
不動作の場合から差込みの場合へ移行する際、狭い脚辺部分（５５）が胴部分（２０）のある頭部（４０）のための曲げ個所として役立つことを特徴とする、請求項９に記載の差込み接続体。
【請求項１１】
長い脚辺（１１）は、実質的に不変な脚辺幅（４９）を持っているが、端部側頭部（４０）への移行部に狭い脚辺端部部分（５６）を持っていることを特徴とする、請求項１〜１０の１つに記載の差込み接続体。
【請求項１２】
不動作の場合と差込みの場合との間の移行の際、長い脚辺（１１）の狭い脚辺端部部分（５６）が、端部側頭部（４０）のための曲げ個所として機能することを特徴とする、請求項１１に記載の差込み接続体。
【請求項１３】
不動作の場合に見て、胴（１５）の端部側頭部（４０）にあるアンダカット（４２，４１）が、短い脚辺（１２）だけでなく長い脚辺（１１）にも設けられていることを特徴とする、請求項１〜１２の１つに記載の差込み接続体。
【請求項１４】
長い脚辺（１１）にある頭部（４０）のアンダカット（４１）が、差込みの場合不動作の場合より延ばされる推移をとることを特徴とする、請求項１２に記載の差込み接続体。
【請求項１５】
部材が機能部分（６０）用の取付け体（３５）であることを特徴とする、請求項１〜１４の１つに記載の差込み接続体。
【請求項１６】
取付け体（３５）が差込みの場合板（５０）の２つの穴（５３）へはまる２つの差込み接続体（１０）を持っていることを特徴とする、請求項１５に記載の差込み接続体。
【請求項１７】
両方の差込み接続体（１０）が互いに面対称に同じに形成されていることを特徴とする、請求項１６に記載の差込み接続体。
【請求項１８】
板が印刷配線基板（５０）であり、その導体条片に部分的に部材が載っていることを特徴とする、請求項１〜１７の１つに記載の差込み接続体。
【請求項１９】
機能部分が遮蔽ハウジング（６０）から成り、この遮蔽ハウジングが複数の取付け体（３５）を介して基板（５０）に取付けられていることを特徴とする、請求項１５〜１８の１つに記載の差込み接続体。
【請求項２０】
差込み接続体（１０）とは反対の側で、１対の締付け腕（３７，３９）が取付け体（３５）にあり、
取付けの場合両方の締付け腕（３７，３９）が機能部分（６０）の橋絡片（８７）をその間に捕捉して固定する
ことを特徴とする、請求項１５〜１９の１つに記載の差込み接続体。
【請求項２１】
両方の締付け腕（３７，３９）の自由端（７４，７６）がループ（５８）により互いに結合され、
取付けの場合機能部分（６０）の橋絡片（８７）がループ内部（８６）へはまっていることを特徴とする、請求項２０に記載の差込み接続体。
【請求項２２】
両方の締付け腕（３７，３９）が互いに面対称に取付け体（３５）にあり、取外しの場合取付け体（３５）の中間部分（３６）に対し傾斜して延び、
取付けの場合締付け腕（３７，３９）の自由端（７４，７６）が、橋絡片（８７）の捕捉後互いに押付けられて、橋絡片（８７）をループ（８５）内に確保する
ことを特徴とする、請求項２０又は２１に記載の差込み接続体。
【請求項２３】
ループ（８５）の開口（８９）が、取付けの場合機能部分（６０）の橋絡片（８７）の厚さに比べて狭くされるか又は閉じられていることを特徴とする、請求項２２に記載の差込み接続体。
【発明の詳細な説明】
【技術分野】
【０００１】  本発明は、請求項１の上位概念に示される種類の差込み接続体に関する。
【背景技術】
【０００２】  公知の差込み接続体は、Ｒａｌｆ  Ｎｏｌｄｅの“圧入技術”、１９９４年、Ｅｎｇｅｒ  Ｇ．Ｌｅｎｚｅ社発行、５６ページ、図３，１２から公知であり、図８及び９には遮蔽ハウジングにおける使用について示されている。差込み接続体は扁平断面を持っているので、板材料から打抜き製品として速やかにかつ安価に製造される。公知の差込み接続体は、広い胴区間を有する扁平輪郭を持ち、この胴区間がその縦中間に扁平輪郭の切欠きを持っている。この切欠きにより、公知の差込み接続体は２つの面対称の同じに形成される２つの脚辺に区分され、これらの脚辺は扁平輪郭の面内で互いに弾性的に撓む。差込み接続体が基板の穴へ差込まれると、両方の脚辺がばね力を及ぼし、このばね力が板の穴内に差込み接続体を締付け固定する。胴端部は直線的に形成され、かつ細い。細い胴端部は変形なしに板の穴を通り、板の裏側で穴から突出する。公知の差込み接続体は、上述した締付け力により板に固定的に保持される。そこでは摩擦結合のみが行われる。締付け力に打勝った後、差込み接続体を直ちに再び引抜くことができる。【０００３】  既に最初に述べたように、図８及び９は、印刷配線基板上にある電気部材の公知の遮蔽ハウジングを示している。公知の完成したハウジングは図９に示され、そこではハウジング側壁の周範囲は多数の前記の差込み接続体を備えている。この公知の差込み接続体はハウジング部分と一体に形成され、ハウジングの側壁の延長部に延びている。なぜならば、ハウジングも板材料からの打抜き製品として形成されているからである。その欠点は、図８に分解図で示す２つの互いに相補的なハウジング部分からハウジングを製造せねばならないことである。一方のハウジング部分は図９のハウジング全体の前部及び後部の側壁を形成し、他方のハウジング部分は付属する差込み接続体を持つ左及び右の側壁を形成している。【０００４】  このような差込み接続体は、基板の穴に取付けられる他の部材にも設けられることは明らかである。既に述べたように、打抜き製品として扁平輪郭を持つ公知の差込み接続体は、非常に安価に製造されるが、穴に確実に固定されないという欠点を持っている。【０００５】  フランス国特許第２７６３７５１号明細書は異なる種類の差込み接続体を示している。そこでは胴が曲げられ、かつ胴の中間に胴の面から突出する舌片を生じる切込みを持っている。舌片端部が第１の面にあり、切込みの両側で胴に２つの腕が残り、これらの腕は別の面にある。舌片は両方の腕の面に対して弾性的に撓む。両方の腕の面にあってアンダカットされる頭部を形成する幅広部は設けられていない。基板にある穴からこの公知の差込み接続体の引抜きは、直ちに可能である。【０００６】  欧州特許出願公開第０２０３６３８号明細書は、異形断面の二又スリットの両側に２つの二又尖頭を持つ二又胴を持つ差込み接続体を示している。差込みの場合二又尖頭の両方の端部は、基板の穴から突出している。二又スリットの異形断面のため、尖頭端部は互いに離れるように開いて、穴に係合している。
【発明の開示】
【発明が解決しようとする課題】
【０００７】  本発明の基礎になっている課題は、取扱いが容易で基板における高い差込み安全性の点ですぐれている、請求項１の上位概念にあげた種類の安価な差込み接続体を開発することである。
【課題を解決するための手段】
【０００８】  これは、本発明によれば、請求項１に述べた手段によって達せられ、この手段には次の特別な意味がある。【０００９】  本発明では、両方の脚辺が広げられる胴区間で互いに異なるように形成されている。一方の脚辺はその長さに関して他方の脚辺より大きい長さを持ち、それらを従って“長い脚辺”及び“短い脚辺”と称することができる。従って長い脚辺は、板の差込みの際、短い脚辺として振る舞う。本発明においてこれは、胴端部にあってアンダカットされる頭部が、差込み過程の最後の段階で、差込み方向に対して直角に動くために、利用される。押込み運動の初期段階中に、頭部は穴の開口断面に整列し、したがって頭部は差込み運動を妨げない。頭部は、穴断面に等しいか又はこれより小さい頭部幅を持っている。しかし頭部が板の裏側を再び出ると、長い脚辺と短い脚辺との間の相互作用により、頭部の前述した横運動が起こる。それにより差込みの場合頭部が穴を区画する板の縁に係合する。基板からの差込み接続体の抜き取りは直ちには可能でない。本発明による差込み接続体は、こうして板の穴に確保されている。【００１０】  本発明のそれ以外の手段及び利点は、従属請求項、以下の説明及び図面から明らかになる。図面には２つの実施例が示されている。
【発明を実施するための最良の形態】
【００１１】  既に述べたように、図８及び９は従来技術を示す。本発明による差込み接続体及びその使用を区別するため、類似な部材である限り、後述する本発明におけるのと同じ符号が使用され、ただし区別するためダッシュを付けられる。【００１２】  各ハウジング部分７１，７２は、互いに反対側の端部に角形に曲げられた縁区域８３及び８４を備えた固有の覆い板７３，７７から成っている。各ハウジング部分７１，７２は、互いに補足する２つの曲げ稜８１及び８２を持っている。第１のハウジング部分７１の曲げ稜８１は横に向いて延び、第２のハウジング部分７２の曲げ稜は縦に向いて延びている。こうして第１のハウジング部分７１はＵ字状縦輪郭を持ち、第２のハウジング部分７２はＵ字状横輪郭を持っている。【００１３】  それぞれの縁区域８３，８４は、それぞれ胴１５′を持つ１群の公知の差込み接続体１０′を備えている。差込み接続体１０′は、図８に鎖線１６′に関して対称に形成されている。広くされた胴区間１３があって、切欠き１４′を備えている。この胴区間１３′は、基板にあって詳細には示してない穴の内径に比べて大きい胴幅１７′を持っている。切欠き１４′の両方の長辺に、互いに面対称に同じに形成される脚辺１１′，１２′があり、図８に従って差込の場合、力矢印１９の方向に互いに弾性的に撓む。広くされた胴区間１３′の前に、直線的な細い胴区間２０′が続き、その胴幅は穴の内側幅と同じか又はこれより小さい。【００１４】  所定の曲げを容易にするため、図８の公知のハウジング部分７１，７２においても、穴６５の群が設けられている。図９の完成したハウジング７０は、図８の両方のハウジング部分７１，７２の合わせ差込みによって得られる。両方のハウジング部分７１，７２の結合は、クリップ及び相手クリップとして機能する相補的な突起７８，７９によって行われる。両方のハウジング部分７１，７２の組立ての際、クリップ７８と相手クリップが対をなして互いにはまり合う。両方のハウジング部分７１，７２のため、ハウジング７０全体は２層の覆い板７３，７７を持ち、それが大きい材料費を生じる。公知の差込み接続体１０′の摩擦結合作用のため、生じる多数のばね力１９′の加算により、基板へのハウジング７０のなお許容される結合を行うために、完成したハウジング７０全体のすべての縁範囲に、これらの差込み接続体を多数設けねばならない。【００１５】  この点で本発明は全く異なる一層良好な方策をとり、それが図１〜４の差込み接続体により詳細に説明される。わかり易くするため、本発明による差込み接続体１０の類似な部材を示すのに、前述したように図８及び９におけるのと同じ符号が、ダッシュ′なしで使用される。【００１６】  図１によれば、差込み接続体１０は、基板５０に取付けられる任意の部材３０と一体に形成されている。基板５０には穴５３があり、この穴へ差込み接続体１０がその胴１５を矢印１８の方向に差込まれる。そのため胴１５の鎖線の縦軸線１６が穴５３に合わされる。胴１５は、穴５３の内側幅５４に比べて大きい脚辺幅２３を持つ胴区間１３を持っている。この範囲に胴切欠き１４があり、縦軸線１６に対して非対称であるだけでなく、ずれている。切欠き１４の両側に２つの脚辺１１，１２も生じるが、これらは互いに非常に異なるように形成されている。【００１７】  点線区間として、両方の脚辺１１，１２のそれぞれの縦推移２１，２２が示されている。一方の脚辺１１が湾曲２４を持ち、他方の脚辺１２が直線推移２５を持っているので、この縦推移が生じる。一層よい区別のため、その異なる長さ条件に応じて、一方の脚辺２１を“長い脚辺”と称し、他方の脚辺１２を“短い脚辺”と称する。両方の脚辺１１，１２の胴端部２０が頭部４０に終わり、この頭部４０は長い脚辺２１及び長い脚辺２２への移行部にそれぞれアンダカット４１及び４２を持っている。頭部４０は、最大でも穴の内側幅５４に等しい最大幅４３を持っている。従って頭部４０は、穴５３への差込み運動１８を妨げない。点線の縦推移２１を見ると、長い脚辺１１にＳ字状推移が認められる。【００１８】  図２に示すように、差込み接続体１０を持つ部材３０は、板３１の打抜き製品から成っている。従って胴１５は断面において扁平輪郭３３を持ち、この輪郭の輪郭高さは図２の板厚３２に一致している。図２の断面範囲において、長い脚辺１１の湾曲頂点の範囲にあって短い脚辺との間にある切欠き１４の部分及び短い脚辺１２の断面を持つ最大の胴幅２３が認められる。【００１９】  胴１５にある非対称の切欠き１４は、少なくとも３つの区域４４〜４６に区分される。狭隘部４７を持つ中間区域４５がある。この中間区域４５の両側に切欠き１４は上の端部区域４４及び広げられる下の端部区域４６を持っている。上の端部区域４４は、部材３０にある両方の脚辺１１，１２の根元２６，２７にわたって延びている。狭隘部４７から始まって、上の端部区域４４はその頂点まで連続的に広がっている。下の端部区域４６は、長い脚辺２１の湾曲推移２４に広範囲に従い、しかも胴縦軸線１６に交差している。狭隘部４７から少し離れた所から、切欠き１４の下の端部区域４６は連続する内側幅を持っている。【００２０】  両方の脚辺１１，１２及び非対称切欠き１４の上述した外形は、短い脚辺１２に、広い脚辺部分２８を生じる。この広い脚辺部分２８は、脚辺幅５８が一層狭い脚辺部分５５を経て、頭部４０へ移行している。同様なことが長い脚辺１１に対しても当てはまる。この脚辺１１は広範囲に不変な脚辺幅４９を持っているが、縮小脚辺幅５９を持つ脚辺端部部分５６を経て頭部４０へ移行している。【００２１】  図２による差込みの際、長い脚辺１１が穴５３の縁に当たり、それによりその湾曲部２４が胴軸線１６の方へ押される。短い脚辺１２は、対向する穴縁５７に沿って滑ることができるほぼ直線状の外縁２９を持っている。【００２２】  完了した差込み状態が図４に示されている。差込みの場合は、頭部４０が板の裏側５２で突出していることにより特徴づけられる。切欠き１４の中間区域４５で対向する切欠き縁が互いにほぼ接触するまで、両方の脚辺１１，１２が圧縮されている。図１による変形しない脚辺１１，１２を持つ不動作の場合が、図４に鎖線で記入されている。図４からわかるように、鎖線で示す休止の場合から実線で示す差込みの場合へ移行する際、揺動矢印により示すように、頭部４０の揺動運動３４も行われる。その結果頭部４０のアンダカット４２が穴縁５７に係合する。長い脚辺１１にある反対側のアンダカット４１は、図４の差込みの場合、図４に鎖線で示す図１の不動作の場合に対して、伸びた推移をとっている。【００２３】  短い脚辺１２の狭い脚辺部分５５も長い脚辺１１の狭い端部部分５６も曲げ個所として機能するので、頭部４０のこの揺動運動３４が可能である。図４の差込みの場合、部材３０の差込み接続体１０が図４の矢印３８の方向に板５０の穴５３から引抜かれるのを、頭部４０のアンダカット４２が防止する。ここではまり合いが行われている。差込み接続体の本発明による構成によって、板５０への部材３０の差込み位置が確保されている。【００２４】  図５及び６は差込み接続体１０の使用事例を示す。この場合部材は取付け体３５から成っている。取付け体３５は全体を打抜き製品として製造され、その中間部分３６の下縁に前述した種類の２つの差込み接続体１０が互いに面対称に設けられている。取付け体３５全体は、鎖線で示す対称軸線６９に対して面対称に形成されている。これは、中間部分３６の上縁に設けられる締付け腕３７，３９に関しても当てはまり、図５による取外しの場合これらの締付け腕３７，３９は、その両方の自由腕端部７４，７６の傾斜推移を持っている。両方の腕端部７４，７６はループ８５により互いに結合され、このループの内部空間８６はカム輪郭を持つことができる。取付け体３５は、任意の機能部分、この場合遮蔽ハウジング６０を印刷配線基板５０に取付けるのに役立つ。これは、遮蔽ハウジング６０に多重配置で設けられている橋絡片８７によって行われる。ハウジング６０の形状は図７に最もよく示されている。【００２５】  図７は金属帯を示し、この金属帯に連続して一次製品６０′が打抜かれ、この一次製品から分離及び曲げにより本来のハウジング６０が生じ、その一部が図６に示されている。一次製品６０′は金属帯から一部ずつ打抜かれ、更に分離されるべき金属橋を介して金属帯の縁帯片と結合されている。一次製品６０′から、ハウジング６０の後の形状が既にわかる。【００２６】  後になってのハウジング６０は、大まかに言って、裏返して使用される殻形状を持っている。これは、図７からわかる打抜き一次製品６０′の中間範囲により形成されるほぼ平らな覆い板６１に区分される。一次製品６０′の覆い板６１の周りにある縁帯片６２，６３が直角に曲げられることによって、最終製品６０が一次製品６０から生じる。その際対向する縁帯片６２，６３の縁６６，６７は互いに接触する。両方の縁帯片６２，６３は、その折曲げ後まず完成したハウジング６０の側壁を形成するという機能を持つ。このことは図８からわかる。更に縁帯片６２は、更に次の機能を持っている。【００２７】  打抜き一次製品６０′において、覆い板６１と縁帯片６２との間の移行部に穴６５が打抜かれる。対向する縁帯片６２への移行範囲にある１つ又は２つの穴６５で十分である。穴６５に整列して、縁帯片６２は更に縁切込み６４を備えているので、その間に前述した橋絡片８７が生じる。図６及び７からわかるように、橋絡片８７は覆い板６１と縁帯片６２との間の屈曲稜６８のすぐ下に生じる。橋絡片８７はハウジング６０の帯材料から形成されているので、長方形である。既��述べたように、使用の場合取付け体３５は、ハウジング６０を印刷配線基板５０に取付ける役割を持っている。これは次のようにすることによって行われる。即ち橋絡片８７が図６により次のやり方でループ内部２４′に受入れられる。【００２８】  取付け体８７において、図５の不動作の場合ループ内部８６は滑らかなＵ字状に形成されているのではなく、異形に形成されている。ループ内部は、互いに対向する側方カム及び底側カムを持っている。これらのカムの機能は、取付けの場合を示す図６からわかる。そこにおいて既に述べたように、工具８８により、図５の腕３７，３９が伸ばされ、その間に約１８０°の角が生じるように圧縮される。ループ頂点７５が中間部分３６の上縁へ当たることによって、両方の腕３７，３９の圧縮が限定される。平らになると、図６からわかるように、両方の弾性的に撓む端部７４，７６が互いに突き当たり、その際ループ開口８９を閉じることができる。図５の不動作の場合ループ開口８９は、橋絡片８７を導入できるために充分大きい。更に図４においてループ頂点７５は、中間部分３６からまだ相当の間隔をおいて設けられている。【００２９】  図６の取付けの場合、橋絡片８７はループ内部８６内に失われないように捕捉されている。即ち取付け体３５のために、腕端部７４，７６の平らな押圧位置において内側輪郭により固定的に保持される材料が使用される。ループ内部８６にある両方の側方カムは、対向側から橋絡片８７の側面へ押付けられ、橋絡片８７の外側終端面は底側カムに支持される。更に図６に示すように、穴に近い方にある橋絡片８７の内側区画面は、平らに押付けられる腕端部７４，７６に当接する。橋絡片８７はループ内部８６に遊びなしに固定的に保持される。【００３０】  本発明によるハウジング６０は、図６に示すように、四重縁曲げにより、即ち覆い板６１に対して、前述した第１の曲げ稜６８における横に延びる縁帯片６２の縁曲げのみならず、縦に延びる縁帯片６３の縁曲げによって生じる。そこに図７による第２の曲げ稜８０が生じる。縁範囲６２，６３の縁曲げにより、図７の打抜き一次製品６０′から、一体の殻状ハウジング６０が得られて、４つの取付け体により、図５に示しかつ既に説明したように、印刷配線基板５０に取付け可能である。殻状ハウジング６０は、最初に説明した従来技術に比べて、材料を一層節約してかつ簡単に形成され、速やかな製造及び本発明による取付け体３５のため一層容易な組立ての点ですぐれている。【００３１】  取付け体３５はハウジング６０に対して別個の部材であるが、万能な使用という点ですぐれている。本発明による取付け体３５は、基板５０への任意の種類の機能部分の結合手段として利用可能である。例えば一層大きく又は一層小さい寸法を持つ殻状ハウジング６０を同じ取付け体３５により基板５０に取付けることが直ちに可能である。
【図面の簡単な説明】
【００３２】
【図１】  任意の第１の部材に一体に形成される本発明による差込み接続体の側面図を拡大して示す。
【図２】  図の切断線Ｉａ−Ｉａに沿う差込み接続体の断面図を示し、胴の偏平断面図が認められる。
【図３】  基板の穴への差込み接続体の差込み運動の第１段階を示す。
【図４】  本発明による差込み接続体の差込みの場合を図１及び３に類似な図で示す。
【図５】  第２の部材にある二重構成の本発明による差込み接続体の使用を示し、第２の部材は任意の機能部分用の取付け体として使用可能であり、取付け体が不動作の場合即ち取外された上体で示されている。
【図６】  図５の取付け体の使用の場合を示し、ここでは機能部分が取付け体により印刷配線基板に取付けられ、図示した実施例の機能部分が、図８及び９に比べて一層簡単な遮蔽ハウジングから成っている。
【図７】  図６の遮蔽ハウジングを製造する前段を示し、複数のハウジング一次製品が板帯片において打抜かれ、更にばらばらにされて縁を曲げられる必要がある。
【図８】  従来技術による両方のハウジング部分の分解斜視図を示す。
【図９】  組み立てられた従来技術による遮蔽ハウジングを示す。
【符号の説明】
【００３３】１０′  公知の差込み接続体（図８，９）
１１′  第１の脚辺（図８）
１２′  第２の脚辺（図８）
１３′  １５′野広げられる胴区間（図８）
１４′  １３′にある切欠き（図８）
１５′  １０′の胴（図８）
１６′  １５′の胴縦軸線（図８）
１７′  １３′における胴幅（図８）
１８′  １０′の差込み運動の矢印（図８）
１９′  １１′，１２′の弾性撓みの力矢印（図８）
２０′  １５′の直線状胴区間（図８）
１０    本発明による差込み接続体（図１〜６）
１１    長い脚辺（図２〜４）
１２    短い脚辺（図２〜４）
１３    広くされた胴区間
１４    １３にある切欠き
１５    胴
１６    １５の縦軸線（図１，３及び４）
１８    １０の差込み運動の矢印
２０    １５の胴端部
２１    １１の縦延び具合（図１）
２２    １２の縦延び具合（図１）
２３    １３の最大胴幅（図１）
２４    １１の湾曲部、円弧状推移（図１）
２５    １２の直線推移（図１）
２６    ３０にある１１の根元（図１）
２７    ３０にある１２の根元（図１）
２８    １２の広い脚辺部分（図１）
２９    １２の外縁（図３）
３０    部材（図１〜３）
３１    ３０又は１０の板（図２）
３２    板厚、３１の輪郭高さ
３３    １０の扁平輪郭
３４    ３４，４０の揺動方向（図４）
３５    取付け体（図５，６）
３６    ３５の中間部分（図５）
３７    ３５にある第１の締付け腕（図５）
３８    抜取り運動の矢印（図４）
３９    ３５の第２の締付け腕（図５）
４０    １５の頭部（図１）
４１    １１に対する４０のアンダカット（図１）
４２    １２に対する４０のアンダカット（図１）
４３    ４０の最大頭部幅（図１）
４４    １４の上の端部区域（図１）
４５    １４の中間区域（図１）
４６    １４の下の端部区域（図１）
４７    ４５にある１４の狭隘部
４８    ２８の大きい脚辺幅（図１）
４９    １１の脚辺幅（図１）
５０    基板、印刷配線基板
５１    ５０の前側（図１）
５２    ５０の裏側（図１，４）
５３    穴（図１，３及び６）
５４    ５３の内側穴幅（図１）
５５    １２の狭い脚辺部分（図１，４）
５６    １１の狭い端部部分（図１，４）
５７    ５３の穴縁（図３，４）
５８    ５５の脚辺幅（図１）
５９    ５６の脚辺幅（図１）
６０    機能部分、遮蔽ハウジング（図６）
６０′  ６０の打抜き一次製品（図７）
６１    ６０の覆い板
６２    ６０，６０′の横に延びる縁帯片（図６，７）
６３    ６０の縦に延びる縁帯片（図７）
６４    ６０，６０′にある縁切込み（図６，７）
６５    ６２にある穴（図６，７）
６６    ６２の側方端縁（図６，７）
６７    ６３の側方端縁（図６，７）
６８    ６１と６２の間の第１の曲げ稜（図６，７）
６９    ３５の対称軸線（図５）
７０    従来技術によるハウジング（図９）
７１    ７０の第１のハウジング部分（図８，９）
７２    ７０の第２のハウジング部分（図８，９）
７３    ７１の覆い板（図８）
７４    ３７の自由腕端部（図５，６）
７５    ２０の頂点（図５，７）
７６    ３８の自由腕端部（図５，７）
７７    ７２の覆い板（図８）
７８    ７１の締付け突起（図８）
７９    ７２の対向締付け突起（図８）
８０    ６１と６３の間の第２の曲げ稜（図７）
８１    ７１において横に延びる曲げ稜（図８）
８２    ７２において縦に延びる曲げ稜（図８）
８３    ７１の縁区域（図８）
８４    ７２の縁区域（図８）
８５    ７４と７６の間のループ（図５，６）
８６    ８５のループ内部（図５，６）
８７    ６０にある橋絡片（図６，７）
８８    工具（図６）
８９    ８５のループ開口（図５）
【図１】
2009541972.tif 000003
【図２】
2009541972.tif 000004
【図３】
2009541972.tif 000005
【図４】
2009541972.tif 000006
【図５】
2009541972.tif 000007
【図６】
2009541972.tif 000008
【図７】
2009541972.tif 000009
【図８】
2009541972.tif 000010
【図９】
2009541972.tif 000011
【国際調査報告】
2009541972.tif 000012
2009541972.tif 000013
2009541972.tif 000014
2009541972.tif 000015
2009541972.tif 000016
2009541972.tif 000017